(57)【要約】【課題】  着色エッジ部の画質を改善する資料提示装置の提供を目的とする。【解決手段】  撮像した画像のアナログデータをＲＧＢ色空間によって表されたデジタルデータに変換してＲＧＢ画像データを生成するデータ入力生成部と、ＲＧＢ画像データを、ＲＧＢ画像データの各画素に含まれるＲ,Ｇ,Ｂ成分のうち、画像の主走査方向に１つおきの画素についてはＲ成分およびＢ成分を除外してデータ量を圧縮したＧ−Ｒ／Ｂ画像データに変換するデータ処理部と、所定のバス幅のデータバスを備え、データバスを介して、圧縮されたＧ−Ｒ／Ｂ画像データを一時的に記憶する記憶部と、記憶部からＧ−Ｒ／Ｂ画像データを読み出し、除外したＲ成分およびＢ成分を所定の補間で補うことで、Ｇ−Ｒ／Ｂ画像データを各画素にＲ,Ｇ,Ｂ成分を含む再現ＲＧＢ画像データに変換するデータ変換部と、再現ＲＧＢ画像データを表示装置に出力するデータ出力部とを備える。【選択図】  図１
2005080143.tif 000002
【特許請求の範囲】
【請求項１】
カラー画像を撮像する撮像手段からの画像信号を入力し、該画像信号を処理して表示装置に出力する資料提示装置であって、
前記撮像した画像をアナログデータとして入力し、該アナログデータをＲＧＢ色空間によって表されたデジタルデータに変換してＲＧＢ画像データを生成するデータ入力生成部と、
前記ＲＧＢ画像データを、該ＲＧＢ画像データの各画素に含まれるＲ,Ｇ,Ｂ成分のうち、画像の主走査方向に１つおきの画素についてはＲ成分およびＢ成分を除外してデータ量を圧縮したＧ−Ｒ／Ｂ画像データに変換するデータ処理部と、
所定のバス幅のデータバスを備え、該データバスを介して、前記圧縮されたＧ−Ｒ／Ｂ画像データを一時的に記憶する記憶部と、
前記記憶部からＧ−Ｒ／Ｂ画像データを読み出し、前記除外したＲ成分およびＢ成分を所定の補間で補うことで、該Ｇ−Ｒ／Ｂ画像データを各画素にＲ,Ｇ,Ｂ成分を含む再現ＲＧＢ画像データに変換するデータ変換部と、
前記再現ＲＧＢ画像データを前記表示装置に出力するデータ出力部と、
を備えた資料提示装置。
【請求項２】
請求項１に記載の資料提示装置であって、
前記所定のバス幅は、ｎを１以上の整数とする２の（３+ｎ）乗ビットであり、
前記ＲＧＢ画像データおよび前記Ｇ−Ｒ／Ｂ画像データの１画素のＲ,Ｇ,Ｂ各成分は、８ビット単位で表現されており、
前記Ｇ−Ｒ／Ｂ画像データは、読み書きの最小単位が１６ビットの画像データであり、
前記データ変換部は、前記バス幅のデータバスを介して前記記憶部と、前記１６ビットの画像データを２の（ｎ−１）乗個の単位でやり取りする
資料提示装置。
【請求項３】
カラー画像を撮像する撮像手段からの画像信号を入力し、該画像信号を処理して表示装置に出力する資料提示装置の画像処理方法であって、
前記撮像した画像をアナログデータとして入力し、該アナログデータをＲＧＢ色空間によって表されたデジタルデータに変換してＲＧＢ画像データを生成し、
前記ＲＧＢ画像データを、該ＲＧＢ画像データの各画素に含まれるＲ,Ｇ,Ｂ成分のうち、画像の主走査方向に１つおきの画素についてはＲ成分およびＢ成分を除外してデータ量を圧縮したＧ−Ｒ／Ｂ画像データに変換し、
所定のバス幅のデータバスを介して、前記圧縮されたＧ−Ｒ／Ｂ画像データを一時的に記憶し、
前記記憶されたＧ−Ｒ／Ｂ画像データを読み出し、前記除外したＲ成分およびＢ成分を所定の補間で補うことで、該Ｇ−Ｒ／Ｂ画像データを各画素にＲ,Ｇ,Ｂ成分を含む再現ＲＧＢ画像データに変換し、
前記再現ＲＧＢ画像データを前記表示装置に出力する
画像処理方法。
【発明の詳細な説明】
【技術分野】
【０００１】
本発明は、ＲＧＢ出力画像の画質を向上する資料提示装置およびその画像処理方法に関する。
【背景技術】
【０００２】
従来から、レンズやＣＣＤ素子などからなる入力装置を用いて、印刷物、立体物などの対象物（資料）をＣＲＴやプロジェクタなどの表示装置に表示する資料提示装置では、入力装置で取り込んだ画像データの画質を向上するため、画像データの変換を行なっていた。このデータの変換は、Ｒ（赤）、Ｇ（緑）、Ｂ（青）の３原色成分（つまり、ＲＧＢの色空間）で表示されたＲＧＢ画像データを、Ｙ（輝度）、Ｃｂ，Ｃｒ（色相）（つまり、ＹＣｂＣｒの色空間）で表示されたＹＣｂＣｒ画像データに変換するものである。
【０００３】
各画素に含まれるＲ,Ｇ,Ｂ成分を輝度データと色相データとに分解することで、輝度や色相を単独で扱うことができ、輪郭や色の補正を比較的容易に行なうことができる。さらに、このデータの変換を行ない、輝度データはそのままにして、色相データの情報量のみを減らす（すなわち、Ｙ：Ｃｂ：Ｃｒを４：２：２の割合とする）ことで、比較的、画質の劣化を抑えた画像データの圧縮を行なうことができる。その結果、圧縮したＹＣｂＣｒ（4：2：2）画像データを記憶するメモリの容量を低減することができる。こうして圧縮したＹＣｂＣｒ（4：2：2）画像データは、所定の処理の後、再度ＲＧＢ画像データに変換され、ＣＲＴ等に出力されていた（例えば、特許文献１参照）。
【０００４】
【特許文献１】特開２００３−１７８２９２号公報
【発明の開示】
【発明が解決しようとする課題】
【０００５】
しかしながら、より高画質が要求される近年の資料提示装置においては、ＣＣＤカメラ等で撮像したＲＧＢ画像データをＹＣｂＣｒ（4：2：2）画像データに圧縮し、これをＲＧＢ画像データに再変換する処理を経た出力画像では、画質の劣化が目立つ場合があるという問題があった。これは、ＹＣｂＣｒ（4：2：2）画像データへの変換時に、色相データ（Ｃｂ、Ｃｒ）の精度を落とすことで画像データの圧縮をしているためである。つまり、色相データの精度を落としたものを再度ＲＧＢ画像データに変換するため、Ｒ,Ｇ,Ｂ成分の全てに圧縮処理の影響が及ぶこととなる。特に、画像の着色エッジ部では色相データの影響が大きいため、着色された縦ジワのような色相上のノイズが目に付くなど、画質の劣化が目立ち、問題となっていた。
【０００６】
本発明は、こうした問題を解決し、着色エッジ部の画質を改善する資料提示装置を提供することを目的とする。
【課題を解決するための手段】
【０００７】
本発明の資料提示装置は、上記課題の少なくとも一部を解決するため、以下の手法を採った。すなわち、カラー画像を撮像する撮像手段からの画像信号を入力し、該画像信号を処理して表示装置に出力する資料提示装置であって、前記撮像した画像をアナログデータとして入力し、該アナログデータをＲＧＢ色空間によって表されたデジタルデータに変換してＲＧＢ画像データを生成するデータ入力生成部と、前記ＲＧＢ画像データを、該ＲＧＢ画像データの各画素に含まれるＲ,Ｇ,Ｂ成分のうち、画像の主走査方向に１つおきの画素についてはＲ成分およびＢ成分を除外してデータ量を圧縮したＧ−Ｒ／Ｂ画像データに変換するデータ処理部と、所定のバス幅のデータバスを備え、該データバスを介して、前記圧縮されたＧ−Ｒ／Ｂ画像データを一時的に記憶する記憶部と、前記記憶部からＧ−Ｒ／Ｂ画像データを読み出し、前記除外したＲ成分およびＢ成分を所定の補間で補うことで、該Ｇ−Ｒ／Ｂ画像データを各画素にＲ,Ｇ,Ｂ成分を含む再現ＲＧＢ画像データに変換するデータ変換部と、前記再現ＲＧＢ画像データを前記表示装置に出力するデータ出力部とを備えたことを要旨としている。
【０００８】
本発明の資料提示装置に対応した画像処理方法は、カラー画像を撮像する撮像手段からの画像信号を入力し、該画像信号を処理して表示装置に出力する資料提示装置の画像処理方法であって、前記撮像した画像をアナログデータとして入力し、該アナログデータをＲＧＢ色空間によって表されたデジタルデータに変換してＲＧＢ画像データを生成し、前記ＲＧＢ画像データを、該ＲＧＢ画像データの各画素に含まれるＲ,Ｇ,Ｂ成分のうち、画像の主走査方向に１つおきの画素についてはＲ成分およびＢ成分を除外してデータ量を圧縮したＧ−Ｒ／Ｂ画像データに変換し、所定のバス幅のデータバスを介して、前記圧縮されたＧ−Ｒ／Ｂ画像データを一時的に記憶し、前記記憶されたＧ−Ｒ／Ｂ画像データを読み出し、前記除外したＲ成分およびＢ成分を所定の補間で補うことで、該Ｇ−Ｒ／Ｂ画像データを各画素にＲ,Ｇ,Ｂ成分を含む再現ＲＧＢ画像データに変換し、前記再現ＲＧＢ画像データを前記表示装置に出力することを要旨としている。
【０００９】
本発明の資料提示装置およびその画像処理方法によれば、１画素毎にＲ,Ｇ,Ｂ成分を含むＲＧＢ画像データとして生成された撮像画像は、画像の主走査方向に１つおきの画素についてはＲ成分およびＢ成分を除外した状態のＧ−Ｒ／Ｂ画像データに圧縮され、この状態で一時的に記憶される。記憶された撮像画像は、読み出され、Ｇ成分のみを有する画素について、除外したＲ成分およびＢ成分を所定の補間で補うことで、再現ＲＧＢ画像データに変換後、表示装置に出力される。再現ＲＧＢ画像データへの変換に伴う補間は、Ｇ成分のみを有する主走査方向に１つおきの画素についてのみ行なわれ、その他の画素については変換前の状態のままとなる。したがって、圧縮されたデータを再現する変換時の影響を低減し、変換に伴う画質の劣化を抑えることができる。特に、色相成分の情報量を圧縮して生成したＹＣｂＣｒ画像データをＲＧＢ画像データに変換して再現する場合に比べ、着色エッジ部の画質の劣化を改善することができる。また、データを圧縮して取り扱うため、データの記憶に必要な容量を低減することができる。
【００１０】
上記の構成を有する資料提示装置は、所定のバス幅が、ｎを１以上の整数とする２の（３+ｎ）乗ビットであり、前記ＲＧＢ画像データおよび前記Ｇ−Ｒ／Ｂ画像データの１画素のＲ,Ｇ,Ｂ各成分が、８ビット単位で表現されている。また、前記Ｇ−Ｒ／Ｂ画像データは、読み書きの最小単位が１６ビットの画像データであり、前記データ変換部は、前記バス幅のデータバスを介して前記記憶部と、前記１６ビットの画像データを２の（ｎ−１）乗個の単位でやり取りするものとしても良い。
【００１１】
かかる資料提示装置によれば、Ｒ,Ｇ,Ｂ各成分を８ビット単位で表現したＲＧＢ画像データは、最小単位１６ビットのＧ−Ｒ／Ｂ画像データに圧縮され、データバスを介して記憶部に記憶され、または、記憶部から読み出される。データバスは２の（３＋ｎ）乗ビット（ｎ≧１）のバス幅（つまり、１６,３２,６４,１２８・・ビットのバス幅）を有するため、圧縮された１６ビットの画像データは、常に整数個（つまり、１,２,４,８・・個）の単位でデータのやり取りを行なう。したがって、データバスのバス幅を有効に利用することができる。特に、ｎが２以上の場合には、画像データの処理速度の高速化に効果を奏する。
【発明を実施するための最良の形態】
【００１２】
以下、本発明の資料提示装置の一実施例について説明する。図１は、資料提示装置の外観を示す斜視図である。図示するように、この資料提示装置１０は、主に、資料や対象物を載置する原稿台１１、対象物を撮影するカメラヘッド１２、カメラヘッド１２を旋廻・回転可能に保持するカメラアーム１５、対象物を照らす左右のライト１３，１４等から構成されている。
【００１３】
原稿台１１は、略長方形の形状をしており、その一端部にライト１３，１４およびカメラアーム１５を収納および回転により引き出し可能に備え、他端部に操作部１７を備えている。カメラヘッド１２は、略直方体の箱型形状をしており、その内部にレンズやＣＣＤ（電荷結合素子）等を備えた撮像部を有し、ズームやホワイトバランスの調整等を行なうことができる。こうした操作を行なう操作部１７は、ライト１３，１４の電源、カメラの絞り、ズーム、ホワイトバランス調整等の操作を行なう各種スイッチを備えている。
【００１４】
この資料提示装置１０では、原稿台１１に対象物を載置し、必要に応じて、左右のライト１３，１４の位置を自在に調節して照明を当て、カメラヘッド１２にて対象物の撮影を行なう。この際、例えば、ズームなどの操作を操作部１７の各種スイッチにて行なう。撮影された画像は、資料提示装置１０に接続されたＣＲＴ１８やプロジェクタなどの外部の表示装置に出力される。
【００１５】
こうした外観構造の資料提示装置１０の内部の構成について説明する。図２は、資料提示装置内部の画像処理機能を示した機能ブロック図である。図示するように、資料提示装置１０は、主に、カメラヘッド１２の内部の撮像部２０、撮像された画像のアナログデータからデジタルデータを生成するデータ生成部３０、デジタルの画像データに所定の処理を施し圧縮するデータ処理部４０、圧縮したデータを記憶するメモリとのデータのやり取りを行なうデータ変換部５０、デジタルデータを出力用のアナログデータに変換するデータ出力部７０から構成されている。なお、この資料提示装置１０は、動きのある対象物に対して１秒間に２０フレームの撮影が可能である。
【００１６】
撮像部２０は、レンズ２５やＣＣＤ２６等から構成されている。ＣＣＤ２６は、レンズ２５を介して入力する光の強さに応じた電荷を蓄える複数の受光素子（フォトダイオード）を備え、このフォトダイオードの電荷量（つまり、アナログの電気信号）を出力している。この複数のフォトダイオードには、３原色であるＲ（赤）、Ｇ（緑）、Ｂ（青）成分を各々透過する各色フィルタがそれぞれ割り当てられており、１のフォトダイオードにより１の色成分を検出する。このＣＣＤ２６は、それぞれのフォトダイオードからの電気信号によって、画像の色の情報を出力している。なお、本実施例では８０万画素の単板方式の１ＣＣＤを採用しているが、１画素につき、３原色分のフォトダイオードを備えた３板方式の３ＣＣＤを用いるものとしても良い。
【００１７】
データ生成部３０は、Ａ／Ｄ変換の回路等を有するアナログフロントエンド（以下、ＡＦＥと呼ぶ）を備え、入力した電気信号（アナログデータ）をデジタルデータに変換している。ＡＦＥは、ＣＤＳ（相関二重サンプリング）回路を備え、ＣＣＤ２６からの出力信号に含まれるノイズの一部を除去する。具体的には、撮像部２０からＲ,Ｇ,Ｂ成分のアナログデータを入力し、ＣＤＳ回路にてノイズを除去した後、各成分データを８ビットのデジタルデータに変換している。なお、本実施例のＡＦＥは、Ｒ,Ｇ,Ｂの各成分データ（つまり、１画素のデータ）について１０ビットまで出力できる分解能を有している。
【００１８】
データ処理部４０は、補間、輪郭補正、色調整等の処理を行なう回路を備え、入力した各８ビットのデジタルデータに対して所定の処理を行なう。データ処理部４０の補間回路は、入力したデジタルデータでは１画素毎にＲ,Ｇ,Ｂのいずれかの情報しか備えていないため、隣接する画素から不足する情報を補間する処理を行なう。この結果、各画素について、各８ビットのＲＧＢの色空間で表された２４ビットＲＧＢ画像データが生成される。輪郭補正回路は、ＲＧＢ画像データを、輝度（Ｙ）データと色相（Ｃｂ、Ｃｒ）データとからなるＹＣｂＣｒの色空間で表されたＹＣｂＣｒ画像データに変換し、輝度（Ｙ）データのみを独立に処理して、画像の輪郭強調等を行なっている。同様に色調整回路は、色相（Ｃｂ、Ｃｒ）データのみを独立に処理して、画像の色を調整して行なうことができる。
【００１９】
データ処理部４０は、こうした所定の処理を経たＹＣｂＣｒ画像データを再びＲＧＢ画像データに変換する処理を行なう。変換されるＲＧＢ画像データはデータ生成時（Ｒ,Ｇ,Ｂ各８ビット×３色）の２４ビットの情報量を持つデータである。データ処理部４０は、この２４ビットＲＧＢ画像データの情報量を圧縮し、１６ビットＧ−Ｒ／Ｂ画像データに変換している。この変換については、後に詳しく説明する。
【００２０】
データ変換部５０は、画像データを一時的に記憶するＳＤＲＡＭ６０（Synchronous Dynamic Random Access Memory）、ＳＤＲＡＭ６０とデータのやり取りに利用される３２ビット幅のデータバスを備えている。このＳＤＲＡＭ６０は、画像２フレーム分の容量のメモリを２つに分けたバンクを有し、所定のタイミングでバンクを切り替えて、一のバンクからの画像データの読み出しや、他のバンクへの次の画像データの書き込みを行なっている。ＳＤＲＡＭ６０に書き込まれた画像データは、例えば、所定の１フレームの画像を表示する「静止画モード」等に利用される。
【００２１】
データ変換部５０は、所定のタイミングでＳＤＲＡＭ６０から１６ビットＧ−Ｒ／Ｂ画像データを順次読み込み、再度２４ビットＲＧＢ画像データに変換している。この変換の過程では、１６ビットへの圧縮段階で削除した画像の情報を補間することで、２４ビットのデータを再現している。なお、データ変換部５０では、１秒間に表示するフレーム数の変換も行なっており、１秒間に２０フレームの画像を６０フレームの画像に変換して出力している。
【００２２】
データ出力部７０は、Ｄ／Ａ変換を行なう回路を備え、データ変換部５０で再現された２４ビットＲＧＢ画像データをアナログのＲＧＢ出力データに変換し、ＣＲＴ１８等に出力している。このアナログＲＧＢ出力は、ＸＧＡ（eXtended Graphics Array）表示に対応した高解像度の出力である。なお、データ出力部７０は、図示しないＮＴＳＣ（National TV Standards Committee）変換回路を備えており、アナログＲＧＢデータをＮＴＳＣデータに変換することで、画像をテレビモニタに表示することもできる。
【００２３】
こうした機能ブロックからなる資料提示装置１０において、表示を望む対象物（資料）の画像は、撮像部２０にて撮像され、データ生成部３０を経て、データ処理部４０にて圧縮処理が行なわれる。このデータの流れにおいて、データ処理部４０にて実行されるデータ処理を中心とした画像データ圧縮処理について説明する。図３は、ＳＤＲＡＭ６０に書き込む１６ビットのデータを生成する画像データ圧縮処理のフローチャートである。また、図５には、入力から出力までに変換される画像データの模式図を示した。図３に示す処理で変換される画像データの構造を図５を用いて適宜説明する。
【００２４】
まず、撮像部２０のＣＣＤ２６により撮像された対象画像は、アナログの電気信号として出力される（ステップＳ２００）。このアナログの電気信号は、データ生成部３０を介してデータ処理部４０に入力され、画像データの生成処理が行なわれる（ステップＳ２１０）。具体的には、ＣＣＤ２６からのアナログデータは、データ生成部３０のＡＦＥでノイズを除去され、デジタルデータに変換され、データ処理部４０で補間処理を施され、デジタルの２４ビットＲＧＢ画像データとして生成される。
【００２５】
生成された２４ビットＲＧＢ画像データは、図５（ａ）に示すように、１画素ごとにＲ,Ｇ,Ｂ成分のデータを有する構造となっている。なお、図５（ａ）は一列（例えば、ｒ１,ｇ１,ｂ１）で１画素を表示しており、ｒ１,ｇ１,ｂ１それぞれに８ビットが割り当てられ、１画素につき２４ビットの画像データであることを示している。
【００２６】
データ処理部４０で生成された２４ビットＲＧＢ画像データは、さらに、色空間の変換処理が行なわれる（ステップＳ２２０）。具体的には、ＲＧＢ色空間のデータをＹＣｂＣｒ色空間のデータに変換する処理である。この変換には、公知である変換マトリクスが用いられ、ＲＧＢ画像データとＹＣｂＣｒ画像データとの相互変換が可逆的に可能である。図５（ｂ）に示すように、この変換マトリクスにより、例えばｒ１,ｇ１,ｂ１データは、ｙ１,ｃｂ１,ｃｒ１データに変換される。なお、この段階でのＹＣｂＣｒ画像データは１画素２４ビットのデータである。
【００２７】
続いて、変換されたＹＣｂＣｒ画像データを用いて輪郭補正等の処理が行なわれる（ステップＳ２３０）。この輪郭補正は、各画素の輝度成分のみに周波数変換を施す処理であり、色相成分に影響を与えることなく（つまり、色歪みを起こすことなく）輪郭強調をすることができる。また、必要に応じて色相成分のみを処理して、色調整処理を行なうものとしても良い。こうした輪郭補正等の処理を行なった画像データを図５（ｃ）に示している。図５（ｃ）には、この処理を行なった輝度成分を「Ｙ」、色相成分を「Ｃｂ、Ｃｒ」として表示している。
【００２８】
輪郭補正等を行なったＹＣｂＣｒ画像データは、再度、変換マトリクスを用いた色空間の変換処理が行なわれる（ステップＳ２４０）。この変換処理では、輝度成分、色相成分に補正がかかっているため、変換後の画像データは、ステップＳ２１０で生成されたＲＧＢ画像データとは異なるものとなる。すなわち、輝度成分等の補正の影響は、色空間の変換により、全ての成分（Ｒ,Ｇ,Ｂ）に影響を与えることとなる。このように変換された画像データを、図５（ｄ）に示している。図示するように、入力画像データのｒ１,ｇ１,ｂ１成分は、高画質化のための処理を経て、Ｒ１,Ｇ１,Ｂ１に変換されることとなる。なお、図５（ａ）から（ｄ）までのデータ変換では、１画素のデータサイズは変わらず、また、色空間変換処理は可逆的処理であるため、画像データの劣化はない。
【００２９】
こうした所定の処理を経て生成されたＲ,Ｇ,Ｂ成分は、１画素２４ビットで構成される画像データであり、この容量の画像データを圧縮する処理が行なわれる（ステップＳ２５０）。具体的には、全ての画素に対して、Ｇ成分のデータはそのまま保有し、Ｒ成分およびＢ成分のデータ量を減らすことで、全体として画像のデータ量を圧縮する処理である。
【００３０】
図５（ｅ）は、この圧縮処理を行なった画像データを示している。図示するように、図５（ｄ）から図５（ｅ）への圧縮処理では、偶数番号の画素のＲ成分、Ｂ成分を削除している。つまり、奇数番号の画素については、圧縮前の全ての成分データ（例えば、Ｒ１,Ｇ１,Ｂ１）をそのまま保有し、偶数番号の画素については、Ｇ成分（例えば、Ｇ２）のみを保有し、他の成分（例えば、Ｒ２,Ｂ２）を削除する。２画素のデータを一度に取り扱うこととすると、２画素分のデータはＲ１,Ｇ１,Ｂ１、Ｇ２の計３２ビットのデータとなる。これを便宜上分けると、１画素目は（Ｇ１,Ｒ１）成分、２画素目は、（Ｇ２,Ｂ１）成分といった構成となり、１画素１６ビットの画像データ（以下、Ｇ−Ｒ／Ｂ画像データと呼ぶ。）となる。こうして圧縮されたＧ−Ｒ／Ｂ画像データは、３２ビット幅のデータバスを介して、ＳＤＲＡＭ６０の所定のバンクに逐次書き込まれる（ステップＳ２６０）。そして、この一連の処理は、ＮＥＸＴに抜け、所定のタイミングで繰り返される。
【００３１】
一般に、人間の目は、緑の波長（Ｇ成分）に対して感度が高い。そのため、ＣＣＤに備える色フィルタもＧ成分の情報が最も多い構造を採る。この一連の圧縮処理では、画質に対して影響を与えやすく、情報量の多いＧ成分については削除することなく、比較的、画質に与える影響の少ないＲ成分、Ｂ成分の一部を削除して画像のデータ量を圧縮する。圧縮された画像データは１６ビットであるため、３２ビット幅のデータバスを用いている場合には、２個単位でアクセスできる。したがって、圧縮によりＳＤＲＡＭ６０のメモリ容量を低減することができると共に、ＳＤＲＡＭ６０へのアクセス等の処理速度を高速にすることができる。
【００３２】
以上のように、ＳＤＲＡＭ６０に書き込まれた画像データは、データ変換部５０にて読み出され、ＣＲＴ１８等の画像表示装置に出力するための所定の処理が施される。このデータの流れにおいて、データ変換部５０の処理を中心とした画像データの出力処理について説明する。図４は、ＳＤＲＡＭ６０に書き込まれた画像データを出力用に処理する画像データ出力処理のフローチャートである。
【００３３】
ＳＤＲＡＭ６０に書き込まれたＧ−Ｒ／Ｂ画像データは、データ変換部５０に読み込まれる（ステップＳ３００）。読み込まれた画像データは、図５（ｅ）に示すように、１６ビットの画像データである。
【００３４】
続いて、この１６ビットの画像データを出力用に２４ビットに変換する補間処理を行なう（ステップＳ３１０）。補間処理には、種々の方法があるが、本実施例では内挿補間を用いている。具体的には、２４ビットに変換するのに不足する偶数番号の画素のＲ,Ｂ成分を、前後の奇数番号の画素のＲ,Ｂ成分から内挿補間により生成する処理である。図５（ｅ）に示すように、１６ビットのＧ−Ｒ／Ｂ画像データには、１画素目（Ｒ１,Ｇ１,Ｂ１）、３画素目（Ｒ３,Ｇ３,Ｂ３）といった奇数番号の画素の画像データは全て含まれている。ここで不足するＲ２成分の画像データは、隣接する画素であるＲ１とＲ３との平均値（１／２に内挿補間）とし、同様に、Ｂ２成分もＢ１とＢ３との平均値とする。こうした補間処理により、１６ビットのＧ−Ｒ／Ｂ画像データは、図５（ｆ）に示すように、２４ビットの画像データに変換される。なお、図５（ｆ）には、１／２の内挿補間により新たに生成された成分データを「Ｒ´」、「Ｂ´」として表し、元の成分データである「Ｒ」、「Ｂ」とは区別している。
【００３５】
このように変換された２４ビットの画像データは、デジタルデータである。このデジタルデータを、一般的な出力であるアナログのＲＧＢ出力に変換する処理を行なう（ステップＳ３２０）。この処理は、データ変換部５０から出力された２４ビットのデジタルデータを、データ出力部７０のＤ／Ａ変換回路にてアナログデータに変換するものである。このアナログデータは、データ出力部から外部のＣＲＴ１８等にアナログＲＧＢとして出力され、画像の表示が行なわれる。ステップＳ３２０の後、この一連の処理は、ＮＥＸＴに抜け、所定のタイミングで繰り返される。
【００３６】
以上の画像データの出力処理において、ＳＤＲＡＭ６０から読み込んだＧ−Ｒ／Ｂ画像データは、画質に与える影響の少ないＲ成分、Ｂ成分の一部を削除したものであるため、この成分を補間により生成しても、画質の劣化はほとんどない。一般に、ＹＣｂＣｒデータの圧縮技術では、色相データ（Ｃｂ、Ｃｒ）の一部を削除する方法が採られる。色相の情報量を減らして圧縮したＹＣｂＣｒ（4：2：2）データを色空間変換によりＲＧＢデータに変換すると、Ｒ,Ｇ,Ｂ全ての成分が、圧縮の影響を受ける。本実施例の圧縮方法では、補間処理により生成した成分（例えば、Ｒ２´,Ｂ２´）が圧縮の影響を受けるのみであり、ＹＣｂＣｒ（4：2：2）データでの圧縮に比べて、画質を改善することができる。特に、ＹＣｂＣｒ（4：2：2）データの圧縮で劣化の著しい着色エッジ部の劣化を改善することができる。
【００３７】
本実施例では、取り込んだＲＧＢ画像データをＧ−Ｒ／Ｂ画像データに圧縮して取り扱い、再度、補間によりＲＧＢ画像データに変換して出力する一連の処理機能を有する資料提示装置１０を開示したが、こうした処理機能を分けて構成するものとしても良い。例えば、圧縮処理（つまり、Ｇ−Ｒ／Ｂ画像データの生成）を行なう画像処理装置と圧縮されたデータを再変換する機能を持たせたＰＣ（Personal Computer）とから構成されるシステムとすることができる。このシステムでは、画像処理装置から、Ｇ−Ｒ／Ｂ画像データをＵＳＢ端子を介してＰＣに送信し、ＰＣ内でデータを記憶し、記憶されたデータを再度ＲＧＢ画像データに変換して、ＣＲＴに表示する。この場合、データの送信時、ＰＣ内のメモリへのアクセス時には、圧縮したＧ−Ｒ／Ｂ画像データの状態で扱われるため、処理速度の高速化、メモリの少容量化を図ることができる。加えて、ＹＣｂＣｒ（4：2：2）画像データにてデータ送信を行なう場合に比べて、ＣＲＴ表示の際、着色エッジ部の画質を改善することができる。
【００３８】
以上、本発明の実施の形態について説明したが、本発明はこうした実施の形態に何ら限定されるものではなく、本発明の趣旨を逸脱しない範囲において様々な形態で実施し得ることは勿論である。本発明の圧縮処理では、偶数番号の画素のＲ、Ｂ成分を削除して圧縮したが、１画素目を（Ｇ１,Ｒ１）、２画素目を（Ｇ２,Ｂ２）、３画素目を（Ｇ３,Ｒ３）といったように、画素毎にＲ成分とＢ成分を交互に削除するものとしても良い。もとより、奇数番号の画素を削除するものとしても良い。
【図面の簡単な説明】
【００３９】
【図１】本発明の資料提示装置の外観を示す斜視図である。
【図２】資料提示装置内部の画像処理機能を示した機能ブロック図である。
【図３】１６ビットのデータを生成する画像データ圧縮処理のフローチャートである。
【図４】画像データを出力用に処理する画像データ出力処理のフローチャートである。
【図５】入力から出力までに変換される画像データの模式図である。
【符号の説明】
【００４０】
１０...資料提示装置
１１...原稿台
１２...カメラヘッド
１３，１４...ライト
１５...カメラアーム
１７...操作部
１８...ＣＲＴ
２０...撮像部
２５...レンズ
２６...ＣＣＤ
３０...データ生成部
４０...データ処理部
５０...データ変換部
６０...ＳＤＲＡＭ
７０...データ出力部
【図１】
2005080143.tif 000003
【図２】
2005080143.tif 000004
【図３】
2005080143.tif 000005
【図４】
2005080143.tif 000006
【図５】
2005080143.tif 000007